(57)【要約】【課題】  脱臭装置内にあるオゾナイザの電極には、オゾンを発生させると窒素酸化物が付着する。窒素酸化物が付着すると、オゾンの発生量が低下する問題があった。そこで、本発明は、オゾナイザの電極に付着した窒素酸化物を自動的に除去することを目的とする。【解決手段】  気化フィルタを内部に備えた脱臭装置において、気化フィルタの外周部に設けられた水汲みポケットが汲み上げて気化フィルタにかける水の一部を溜める水タンクを備え、この水タンクにノズル部を設け、このノズル部から落下される水をオゾナイザの電極にかけて、電極に付着した窒素酸化物を除去する。【選択図】  図３
2014159885.tif 000002
【特許請求の範囲】
【請求項１】
空気の脱臭処理を行う脱臭装置であって、
空気の吸込口と吹出口とを結ぶ空気通路と、
前記空気通路内に設けられ、前記吸込口から吸引した空気を前記吹出口から送出させる送風機と、
前記空気通路内に、水を吸水して湿潤した状態で通過する空気を加湿する気化フィルタと、
前記気化フィルタを湿潤させる水を溜める給水トレイと、
前記気化フィルタの外周部に設置され、前記給水トレイ内に溜まっている水を汲み上げて、前記気化フィルタに水をかける吸水手段と、
前記空気通路内で、前記送風機と前記気化フィルタとの間に配置され、電極でオゾンを生成し、生成したオゾンにより空気の脱臭処理を行うオゾン脱臭部とを備え、
前記吸水手段から流れ出る水の一部が溜まる水タンクを、前記オゾン脱臭部の上方に配置し、
前記水タンクに溜まった水を前記電極に導くためのノズル部を、前記オゾン脱臭部が有する電極の上方にある前記水タンクに配置したことを特徴とする脱臭装置。
【請求項２】
前記水タンクは開閉機構を備え、
前記オゾン脱臭部が停止している間に、前記開閉機構が開くことで、前記ノズル部から水を落下させることを特徴とする請求項１に記載の脱臭装置。
【発明の詳細な説明】
【技術分野】
【０００１】
本発明は、脱臭装置に関わり、より詳細には、オゾンを発生させるオゾナイザの電極を清掃できる脱臭装置に関する。
【背景技術】
【０００２】
脱臭装置の中には、空気中の臭気物質を分解除去するために、オゾンを発生させるオゾナイザを備えているものがある。また、室内空気を加湿するために、脱臭装置の中には加湿機構を備えたものがある。
【０００３】
オゾナイザは、対向した一対の電極間に高電圧の交流電圧を印加して放電させ、その放電空間に空気または酸素を通過させることで、オゾンを生成する。この放電空間に窒素が存在すると窒素酸化物が発生し、この窒素酸化物がオゾナイザの電極に付着する。電極に窒素酸化物が大量に付着すると、オゾンの発生が阻害される。そのため、オゾンの発生量が低下する問題があった。
【０００４】
そこで、オゾナイザの電極に付着した窒素酸化物を除去する方法として、特開平８−１９１８８１号公報がある。この先行技術には、トイレに設置されているオゾナイザに、吐水ノズルから吐出された温水を吹き付けることで、電極に付着した窒素酸化物を除去する技術が開示されている。
【先行技術文献】
【特許文献】
【０００５】
【特許文献１】特開平８−１９１８８１号公報
【発明の概要】
【発明が解決しようとする課題】
【０００６】
しかし、特許文献１の方法は、吐水ノズルでオゾナイザの電極に温水を吹き付けており、トイレのような水回りで使用する機器では防水対策が施されているため水がかかることによる故障などの問題は生じにくい。しかし、従来の脱臭装置にこの技術を用いると、脱臭装置は内部にある電子部品に防水対策が施されていないため、オゾナイザに吹き付けた時に水が飛び散ることによって、脱臭装置を故障させる可能性があった。
【０００７】
そこで、本発明は、自動的にオゾナイザの電極を水洗することで付着した窒素酸化物を除去し、また、脱臭装置の内部にある電子部品に水による影響を与えない脱臭装置を提供することを目的としたものである。
【課題を解決するための手段】
【０００８】
上述した問題を解決するために、本発明は、空気の脱臭処理を行う脱臭装置であって、
空気の吸込口と吹出口とを結ぶ空気通路と、前記空気通路内に設けられ、前記吸込口から吸引した空気を前記吹出口から送出させる送風機と、前記空気通路内に、水を吸水して湿潤した状態で通過する空気を加湿する気化フィルタと、前記気化フィルタを湿潤させる水を溜める給水トレイと、前記気化フィルタの外周部に設置され、前記給水トレイ内に溜まっている水を汲み上げて、前記気化フィルタに水をかける吸水手段と、前記空気通路内で、前記送風機と前記気化フィルタとの間に配置され、電極でオゾンを生成し、生成したオゾンにより空気の脱臭処理を行うオゾン脱臭部とを備え、前記吸水手段から流れ出す水の一部が溜まる水タンクを、前記オゾン脱臭部の上方に配置し、前記水タンクに溜まった水を前記電極に導くためのノズル部を、前記水タンクに配置した。
【０００９】
また、前記水タンクには開閉機構を備え、前記オゾン脱臭部が停止している間に、前記開閉機構が開くことで、前記ノズル部から水を落下させる。これにより、電極に付着した窒素酸化物は落下してきた水に溶け、除去される。
【発明の効果】
【００１０】
本発明の脱臭装置によれば、オゾナイザの電極に付着した窒素酸化物を自動的に除去することができ、オゾンの発生量を低下させることを防ぐことが出来る。また、ノズル部によりオゾナイザの電極に水が導かれるため、オゾナイザの電極以外の電子部品に水がかからなくなり、脱臭装置の故障を防ぐことが出来る。
【図面の簡単な説明】
【００１１】
【図１】本発明にかかる脱臭装置の全体を示した斜視図である。
【図２】本発明にかかる脱臭装置の断面図である。
【図３】本発明にかかる脱臭装置の内部を示した正面図である。
【図４】本発明にかかる脱臭ユニットの分解斜視図である。
【図５】本発明にかかる気化フィルタおよび水タンクを概略的に示した斜視図である。
【発明を実施するための形態】
【００１２】
以下に、図面に基づいて、本発明にかかる脱臭装置の実施例を詳細に説明する。
【００１３】
図１は、本発明にかかる脱臭装置１００の外観斜視図であり、図２は、図１のＸＸ線断面図である。
【００１４】
脱臭装置１００は、図１に示すように、縦長の略直方体形状で構成されており、前面側に前面パネル１０１、図２に示すように、前面パネル１０１と対向する背面側に背面パネル１０２をそれぞれ有する。背面パネル１０２には多数の開口部を設けた空気の吸込口１１１が形成されている。また、加湿装置１００の上面部には、図１に示すように、手動により開閉可能な矩形状のルーバ１０３が設けられている。このルーバ１０３は開閉可能であって、図２に示すように、ルーバ１０３を開くことによって吸込口１１１から吸込まれ脱臭された空気は吹出口１１２から室内空間へ吹出される。
【００１５】
次に、脱臭装置１００の具体的な内部構成について図２を用いて説明する。室内空間より空気を吸込む吸込口１１１と室内空間に空気を吹出す吹出口１１２とを結ぶ空気通路内には、風上側から風下側に向かって、臭気物質を除去する脱臭ユニット１２１と、空気を加湿する気化フィルタ１２２と、オゾンを発生するオゾン脱臭部であるオゾナイザ１２３と、吸込口１１１より吸込んだ空気を吹出口１１２から吹出すための送風機１２４とが順に配置されている。
【００１６】
脱臭ユニット１２１は、図４に示すように、内部に備えた脱臭フィルタ１２１ａに臭気物質を吸着することで通過する空気を脱臭するものである。脱臭フィルタ１２１ａに吸着した臭気物質は、脱臭フィルタ１２１ａを加熱することにより分解される。そのため、脱臭ユニット１２１には、脱臭フィルタ１２１ａを加熱するためのヒータ１２１ｂが備えられている。
【００１７】
気化フィルタ１２２は、水を吸水して湿潤した状態となり、空気が気化フィルタ１２２を通過する間に、水が気化して通過する空気を加湿するものである。図３に示すように、気化フィルタ１２２の外周部には、気化フィルタ１２２に水をかける吸水手段である、水汲み水車と同じ構造の水汲みポケット１２２ａが配置されている。水汲みポケット１２２ａは、図３に示すように、気化フィルタ１２２の回転方向である矢印方向側が開口され、汲み上げた水が溜まるような箱形状となっている。水汲みポケット１２２ａは、気化フィルタ１２２の頂上付近で横向きになり、開口された側から内部に溜まった水が外に流れ出るようになっている。加湿運転中は、気化フィルタ１２２が回転し、気化フィルタ１２２に水を供給する給水トレイ１２５内の水を水汲みポケット１２２ａが汲み上げて、気化フィルタ１２２の頂上付近で水汲みポケット１２２ａ内に溜まっている水が流れ出て気化フィルタ１２２にかかることで、気化フィルタ１２２を湿潤させている。
【００１８】
オゾナイザ１２３は、対向した一対の電極間に高電圧の交流電圧を印加して放電させ、その放電空間に空気または酸素を通過させることでオゾンを生成させるものである。オゾンを生成する二本の電極はケース１２３ａ内に配置されている。このケース１２３ａには、生成したオゾンを吹出口１１２にまで導くための導風管１２６が接続されている。生成されたオゾンは、送風機１２４から吹出される空気がオゾナイザ１２３周辺の空気を誘引することで、導風管１２６を通過して、空気通路内に誘引される。
【００１９】
送風機１２４は、シロッコファンから構成され、脱臭装置１００の本体の背面パネル１０２にある吸込口１１１から空気を吸込み、上面にある吹出口１１２より吸込んだ空気を吹出すものである。
【００２０】
この脱臭装置１００は、背面パネル１０２の上部にある制御部１４０によって、各構成部品が制御される。
【００２１】
次に、オゾナイザ１２３の電極に付着した窒素酸化物を除去する構造について説明する。
【００２２】
図３に示すように、オゾナイザ１２３の電極１２３ｂにかけるための水を溜める水タンク１３１は、気化フィルタ１２２の側面側の近傍に、かつ、気化フィルタ１２２の頂上よりも低い位置でかつオゾナイザ１２３よりも高い位置に配置され、図２に示すように、送風機１２４のケーシング１２４ａに固定されている。図５は、本発明にかかる気化フィルタ１２２および水タンク１３１を概略的に示した斜視図である。水汲みポケット１２２ａには、図５に示すように、汲み上げた水を気化フィルタの外側へ導くガイド部１２２ｂと、ガイド部１２２ｂで導かれた水を水タンク１３１に向けて流れ出させるために、気化フィルタ１２２の外側に向かって突き出した板形状の突出部１２２ｃが設けられている。これらの構造により、水タンク１３１は、気化フィルタ１２２の外周部に設けられた水汲みポケット１２２ａで汲み上げられ、気化フィルタ１２２の頂上付近で気化フィルタ１２２へかけられる水の一部を受け止めることが出来る。これにより、水タンク１３１に水が溜まる。水タンク１３１の底の一部には、図３に示すように、溜まった水を下に流すためのノズル部１３１ａが設けられている。水タンク１３１には、制御部１４０によって開閉を制御される開閉機構１３１ｂが備えられ、開閉機構１３１ｂが開くことで水タンク１３１に溜まった水がノズル部１３１ａを通過して落下される。また、このノズル部１３１ａは、オゾナイザ１２３の電極１２３ｂに水タンク１３１に溜まった水を導き、この水をかけることが出来るように、オゾナイザ１２３の電極１２３ｂの上方に配置される。また、ケース１２３ａの上面には、水が内部に入れるように穴が設けられ、ケース１２３ａの下面には、電極１２３ｂにかけられた水を給水トレイ１２５にまで導く排水管１３２が設けられている。
【００２３】
次に、オゾナイザ１２３の電極１２３ｂに付着した窒素酸化物を除去する動作について説明する。この動作は、オゾナイザが一定時間停止している必要がある。そのため、本実施例では、脱臭運転を停止させ、脱臭フィルタ１２１ａを加熱して、臭気物質を分解除去する間に行う。
【００２４】
初めに、制御部１４０は脱臭運転を停止させると、オゾナイザ１２３および送風機１２４を停止させる。また、制御部１４０は気化フィルタ１２２の回転も停止させるので、水タンク１３１への水の供給が止まる。そして、制御部１４０は脱臭フィルタ１２１ａをヒータ１２１ｂで加熱し始める。
【００２５】
次に、制御部１４０は水タンク１３１に設けてある開閉機構１３１ｂを開ける。これにより、脱臭運転中に水タンク１３１内に溜まった水は、下方にあるオゾナイザ１２３の電極１２３ｂにかかり、オゾナイザ１２３の電極１２３ｂに付着した窒素酸化物は水に溶けて、除去される。窒素酸化物が溶け込んだ水は、ケース１２３ａと接続される排水管１３２より給水トレイ１２５まで導かれる。脱臭フィルタ１２１ａの加熱再生が終了するまでの間、ノズル部１３１ａは開いたままである。また、オゾナイザ１２３の電極１２３ｂは、水タンク１３１内の水がなくなった後は、脱臭フィルタ１２１ａの加熱再生運転によるヒータ１２１ｂの熱で、乾燥される。
【００２６】
脱臭フィルタ１２１ａの加熱再生が終了すると、制御部１４０は、水タンク１３１に設けてある開閉機構１３１ｂを閉じる。そして、制御部１４０はオゾナイザ１２３および送風機１２４を駆動させる。また、制御部１４０は気化フィルタ１２２の回転も再開する。これにより、水汲みポケット１２２ａで汲み上げられた水が水タンク１３１に供給され始める。
【００２７】
なお、脱臭フィルタ１２１ａの加熱再生は約２４時間おきに行われるため、その間にオゾナイザ１２３の電極１２３ｂに付着した窒素酸化物を除去するだけの水を、水タンク１３１内に溜めることが出来る。なお、水タンク１３１が満水になった後に水汲みポケット１２２ａから水が供給された場合、水タンク１３１の気化フィルタ１２２と対向する側面上で、上端側の一部に図示しない開口部を設け、この開口部より溢れた水を流すようにしている。なお、本実施例は本発明の脱臭装置の一例であり、本発明はこれに限定したものではない。
【００２８】
以上より、脱臭装置１００内にあるオゾナイザ１２３の電極１２３ｂに付着した窒素酸化物を自動的に除去することができ、オゾン発生量の低下を防ぐことが出来る。また、電極１２３ｂの水洗い時に脱臭装置１００内にある電子部品が水による故障するおそれがない。
【符号の説明】
【００２９】
１００    脱臭装置
１０１    前面パネル
１０２    背面パネル
１１１    吸込口
１１２    吹出口
１２１    脱臭ユニット
１２１ａ  脱臭フィルタ
１２１ｂ  ヒータ
１２２    気化フィルタ
１２２ａ  水汲みポケット
１２２ｂ  ガイド部
１２２ｃ  突出部
１２３    オゾナイザ
１２３ａ  ケース
１２３ｂ  電極
１２４    送風機
１２５    給水トレイ
１３１    水タンク
１３１ａ  ノズル部
１３２    排水管
１４０    制御部
【図１】
2014159885.tif 000003
【図２】
2014159885.tif 000004
【図３】
2014159885.tif 000005
【図４】
2014159885.tif 000006
【図５】
2014159885.tif 000007